(57)【要約】      （修正有）【課題】レチクル系および公知の光弁に関連する欠点を有さない、基板にパターンを直接書き込むためのマスクレスパターン生成システムを提供する。【解決手段】光ビーム２０４を生成する光源２０２を備え、ピクセルアレイにおける個々のピクセルに対応する個々の電圧レベルを設定することをプログラム可能なパターン生成器２０６に命令する制御信号２０８入力に基づき、光ビーム２０４からパターンを生成するプログラム可能なパターン生成器２０６を備え、個々の電圧レベルはそれぞれ個々のピクセルのうちの特定の１つに割り当てられるグレースケールレベルに対応し、供給されるパターン情報１１４に基づきプログラム可能なパターン生成器２０６に制御信号入力を供給する制御装置２１０を備える。【選択図】図２
2005210115.tif 000002
【特許請求の範囲】
【請求項１】
マスクレスパターン生成システムにおいて、
光ビームを生成する光源を備え、
ピクセルアレイにおける個々のピクセルに対応する個々の電圧レベルを設定することをプログラム可能なパターン生成器に命令する制御信号入力に基づき、前記光ビームからパターンを生成するプログラム可能なパターン生成器を備え、前記個々の電圧レベルはそれぞれ前記個々のピクセルのうちの特定の１つに割り当てられるグレースケールレベルに対応し、
供給されるパターン情報に基づき前記プログラム可能なパターン生成器に前記制御信号入力を供給する制御装置を備えることを特徴とする、マスクレスパターン生成システム。
【請求項２】
前記プログラム可能なパターン生成器は反射性液晶ディスプレイアレイを包含する、請求項１記載のマスクレスパターン生成システム。
【請求項３】
前記プログラム可能なパターン生成器は透過性液晶ディスプレイアレイを包含する、請求項１記載のマスクレスパターン生成システム。
【請求項４】
前記光源から生成される前記光ビームは偏光ビームである、請求項１記載のマスクレスパターン生成システム。
【請求項５】
前記プログラム可能なパターン生成器は前記光ビームの偏光状態を変調する、請求項１記載のマスクレスパターン生成システム。
【請求項６】
前記光ビームを前記プログラム可能なパターン生成器に向かって反射するビームスプリッタをさらに包含する、請求項１記載のマスクレスパターン生成システム。
【請求項７】
前記ビームスプリッタは前記光ビームを偏光する偏光ビームスプリッタであり、偏光光ビームを前記プログラム可能なパターン生成器に向かって反射する、請求項６記載のマスクレスパターン生成システム。
【請求項８】
前記プログラム可能なパターン生成器は前記偏光ビームの偏光状態を変調し、パターンイメージビームを前記偏光ビームスプリッタに向かって再び反射し、前記パターンイメージビームは前記偏光ビームスプリッタを通過する、請求項７記載のマスクレスパターン生成システム。
【請求項９】
前記光源と前記プログラム可能なパターン生成器との間に配置されている第１の偏光子と、
前記プログラム可能なパターン生成器の下流側に配置されている第２の偏光子とをさらに包含する、請求項１記載のマスクレスパターン生成システム。
【請求項１０】
基板への投影に関する前記パターンイメージを最小にする縮小光学系と、
前記パターンイメージを受信する前記縮小光学系に相対的に前記基板を配置する基板ステージとをさらに包含する、請求項１記載のマスクレスパターン生成システム。
【請求項１１】
前記基板上のピクセルサイズは約２０ｎｍから約１．５ｍｍの範囲である、請求項１０記載のマスクレスパターン生成システム。
【請求項１２】
前記基板上のピクセルサイズは約５０ｎｍである、請求項１１記載のマスクレスパターン生成システム。
【請求項１３】
前記縮小光学系は約０．００５×から３５０×の範囲の倍率で前記パターンイメージを最小にする、請求項１０記載のマスクレスパターン生成システム。
【請求項１４】
前記縮小光学系は約２００×の倍率で前記パターンイメージを最小にする、請求項１３記載のマスクレスパターン生成システム。
【請求項１５】
前記プログラム可能なパターン生成器は、約４ｍｍ×１２ｍｍから約１６ｍｍ×４８ｍｍの範囲にあるスリット領域をカバーする、請求項１記載のマスクレスパターン生成システム。
【請求項１６】
前記プログラム可能なパターン生成器は約８ｍｍ×２２ｍｍのスリット領域をカバーする、請求項１５記載のマスクレスパターン生成システム。
【請求項１７】
前記グレースケールレベルは黒および白を含む、請求項１記載のマスクレスパターン生成システム。
【請求項１８】
前記光源はパルスエキシマレーザを包含し、前記個々のピクセルの前記個々の電圧はレーザパルス間で変化する、請求項１記載のマスクレスパターン生成システム。
【請求項１９】
前記パターンイメージは前記個々の電圧が前記個々のピクセルのための光の１周期に調節されると位相シフトされる、請求項１記載のマスクレスパターン生成システム。
【請求項２０】
前記プログラム可能なパターン生成器は位相シフトマスクとして使用される、請求項１記載のマスクレスパターン生成システム。
【請求項２１】
前記パターンイメージ対応する前記個々のピクセルに関して調節された前記個々の電圧が１つの方向に同じ数のピクセル行だけシフトされると前記パターンイメージの位置はシフトされる、請求項１記載のマスクレスパターン生成システム。
【請求項２２】
前記パターンイメージの端部は前記個々のピクセルに対応する前記個々の電圧レベルを調節することによってマニピュレートされ、前記個々のピクセルは前記パターンイメージ端部の一部であり、前記パターンイメージ端部の個々のピクセルを超えたピクセル行である、請求項１記載のマスクレスパターン生成システム。
【請求項２３】
マスクレスパターンを生成する方法において、
光ビームを生成するステップと、
制御装置に供給されるパターンイメージ情報に基づき前記制御装置から制御信号入力を受信するステップと、
前記制御信号入力に基づき前記光ビームからパターンイメージを生成するステップとを含み、前記制御信号入力はピクセルアレイにおける個々のピクセルに対応する個々の電圧レベルを調節する命令であり、前記個々の電圧レベルはそれぞれ前記個々のピクセルのうちの特定の１つに割り当てられたグレースケールレベルに対応することを特徴とする、マスクレスパターンを生成する方法。
【請求項２４】
前記光ビームを生成するステップは、
前記光ビームを発生させるステップと、
前記光ビームをパターン生成器に向かって反射させるステップとを含む、請求項２３記載のマスクレスパターンを生成する方法。
【請求項２５】
前記光ビームを生成するステップは、
前記光ビームを発生させるステップと、
前記光ビームを偏光するステップとを含む、請求項２３記載のマスクレスパターンを生成する方法。
【請求項２６】
前記パターンイメージを生成するステップは、
前記光ビームの偏光状態を変調するステップを含む、請求項２３記載のマスクレスパターンを生成する方法。
【請求項２７】
前記パターンイメージを生成するステップは、
パターンイメージを偏光するステップを含む、請求項２３記載のマスクレスパターンを生成する方法。
【発明の詳細な説明】
【技術分野】
【０００１】
本発明は、マスクレスパターン生成システムおよびマスクレスパターンを生成する方法に関する。
【背景技術】
【０００２】
リソグラフィは基板の表面にフィーチャ（特徴的構造）を生成するために使用されるプロセスである。その様な基板はフラットパネルディスプレイ、回路基板、種々の集積回路などの製造に使用される基板を含むことができる。そのような用途に頻繁に使用される基板は半導体ウェハである。リソグラフィの間はウェハはウェハステージに配置され、チャックによって所定の個所に保持される。チャックは典型的には、ウェハを所定の箇所に確実に保持することができる真空チャックまたは静電チャックである。ウェハはリソグラフィ装置に設置されている露光光学系によってウェハ表面に投影されるイメージに曝される。露光光学系がフォトリソグラフィにおいて使用される一方で、異なるタイプの露光装置を特別な用途に依存して使用することができる。例えばＸ線リソグラフィ、イオンリソグラフィ、電子リソグラフィまたは光子リソグラフィはそれぞれ、当業者には公知のように異なる露光装置を必要とする可能性がある。フォトリソグラフィの特別の例はここでは例示的な目的でのみ述べている。
【０００３】
投影されるイメージはウェハの表面上にデポジットされた層、例えばフォトレジストの特性に変化を生じさせる。この変化は露光の間にウェハに投影されるフィーチャに相当する。露光に続いてこの層はパターニングされた層を形成するためにエッチングすることができる。パターンは露光の間にウェハに投影されるパターンのフィーチャに相当する。このパターニングされた層はウェハ内の基礎構造層、例えば導電層、半導体層または絶縁層の露光された部分の除去、ドープまたはこの部分に作用を及ぼすために使用される。このプロセスは他のステップと共に、ウェハの表面上または種々の層において所望のフィーチャが形成されるまで繰り返される。
【０００４】
ステップ・アンド・スキャンテクノロジは、狭いイメージングスロットを有する投影光学系と関連して機能する。この際一度にウェハ全体を露光するのではなく、むしろ個々のフィールドがウェハにおいて一度に１つずつスキャンされる。このことはイメージングスロットがスキャンの間にフィールドを横切るように移動されるようウェハおよびレチクルまたはパターンを規定する光弁を同時に移動させながら行われる。ウェハステージはウェハ表面にわたって露光されるべきパターンを何度もコピーできるようにするために、フィールド露光の間にステップされなければならない。このようにして、ウェハに投影されるイメージの鮮鋭度が最大となる。
【０００５】
（マスクまたはフォトマスクとしても知られている）レチクルは、露光されるべきパターンを規定する選択領域内のフォトレジスト露光を阻止するために使用される。レチクルおよびレチクルの使用は殊に小さいウェハへの実施にとっては高価になる可能性がある。
【０００６】
レチクルを使用する代わりに、回折格子制御弁（ＧＬＶ）またはディジタルマイクロミラーデバイス（ＤＭＤ）（ディジタルマイクロミラーアレイまたは傾斜ミラーアレイとしても知られる）ような空間光変調器（ＳＬＭ）と称されるマスクレス光弁を使用することができる。ＤＭＤは多数の傾斜ミラーのアレイであり、各ミラーはパターンの１ピクセルを表す。各マイクロミラーをターンオンまたはターンオフするために別個にプログラムすることができ、これによってマイクロミラーアレイを所望のパターンを表すためにプログラミングすることができる。個々のマイクロミラーがターンオンされると照明はそのミラーによって露光光学系に向かって反射され、最終的にフォトレジストまたは基板（例えばウェハ）に反射される。個々のミラーがターンオフされると照明は露光光学系に向かっては反射されず、したがってフォトレジストまたは基板にも反射されない。このようにしてＤＭＤはマスクレス光弁になる。
【０００７】
ＤＭＤの使用における欠点の１つは、一般的にマイクロミラーをオンまたはオフしかできないことである。換言すれば、ＤＭＤは容易にグレースケールを生じさせることができない。ＤＭＤを使用してグレースケールを変更するために、マイクロミラーを正確な角度に精密に傾斜させる必要がある。しかしながら、マイクロミラーのカスタマイズされた傾斜は不利な作用を有する可能性がある。例えば、テレセントリック状態（telecentricity）が、ミラー傾斜の結果イメージ平面はもはや光学系に直交しないので変化する可能性がある。さらにはＤＭＤでは個々のピクセルのために光の位相を制御することができない。したがってＤＭＤを容易には位相シフトマスクとして使用することができない。
【発明の開示】
【発明が解決しようとする課題】
【０００８】
したがって本発明の課題は、上述したようなレチクル系および公知の光弁に関連する欠点を有さない、基板にパターンを直接書き込むためのマスクレスパターン生成システムを提供することである。さらに本発明の課題はそのようなマスクレスパターンを生成する方法を提供することである。
【課題を解決するための手段】
【０００９】
マスクレスパターン生成システムに関する課題は、このマスクレスパターン生成システムが光ビームを生成する光源を備え、ピクセルアレイにおける個々のピクセルに対応する個々の電圧レベルを設定することをプログラム可能なパターン生成器に命令する制御信号入力に基づき、光ビームからパターンを生成するプログラム可能なパターン生成器を備え、個々の電圧レベルはそれぞれ個々のピクセルのうちの特定の１つに割り当てられるグレースケールレベルに対応し、供給されるパターン情報に基づきプログラム可能なパターン生成器に制御信号入力を供給する制御装置を備えることによって解決される。マスクレスパターンを生成する方法に関する課題は、光ビームを生成するステップと、制御装置に供給されるパターンイメージ情報に基づき制御装置から制御信号入力を受信するステップと、制御信号入力に基づき光ビームからパターンイメージを生成するステップとを含み、制御信号入力はピクセルアレイにおける個々のピクセルに対応する個々の電圧レベルを調節する命令であり、個々の電圧レベルはそれぞれ個々のピクセルのうちの特定の１つに割り当てられたグレースケールレベルに対応することによって解決される。
【発明を実施するための最良の形態】
【００１０】
本発明は、光源、プログラム可能なパターン生成器および制御装置を有するマスクレスパターン生成システムに関する。光源は光ビームを生成する。１つの実施形態では、光ビームはパルスエキシマレーザによって生成できるような偏光ビームである。プログラム可能なパターン生成器は制御信号入力に基づき光ビームからパターンイメージを生成する。制御信号入力はプログラム可能なパターン生成器が、ピクセルアレイにおける個々のピクセルに対応する個々の電圧レベルを調節するよう命令する。個々の電圧レベルはそれぞれ特定のピクセルに割り当てられるグレースケールレベルに対応する。本発明の１つの利点は、プログラム可能なパターン生成を位相シフトマスクとして使用できることであり、この場合パターンイメージは個々の電圧レベルが光の１周期に調節されると位相シフトされる。制御装置は制御信号入力を、制御装置に供給されたパターン情報に基づきプログラム可能なパターン生成器に供給する。
【００１１】
本発明の１つの実施形態においては、プログラム可能なパターン生成器は透過性液晶ディスプレイ（ＬＣＤ）アレイを包含する。別の実施形態では、プログラム可能なパターン生成器は反射性液晶ディスプレイ（ＲＬＣＤ）アレイを包含する。
【００１２】
本発明の１つの実施形態によれば、マスクレスパターン生成システムはさらに、光源とプログラム可能なパターン生成器との間に設けられている第１の偏光子と、プログラム可能なパターン生成器の下流側に配置されている第２の偏光子とを包含する。本発明の別の実施形態では、マスクレスパターン生成システムはさらにビームスプリッタを包含し、このビームスプリッタは光源からの光ビームをプログラム可能なパターン生成器に向かって反射させる。さらに別の実施形態では、ビームスプリッタは光源からの光ビームを偏光させ、また偏光ビームを前述のプログラム可能なパターン生成器に向かって反射させる偏光ビームスプリッタである。
【００１３】
本発明の１つの実施形態では、プログラム可能なパターン生成器は光ビームの偏光状態を変調する。偏光ビームスプリッタを使用する実施形態では、プログラム可能なパターン発生器は偏光ビームの偏光状態を変調し、パターンイメージビームが偏光ビームスプリッタを通過するように偏光ビームスプリッタに向かってパターンイメージビームを反射させる。
【００１４】
本発明の実施形態によれば、マスクレスパターン生成システムはさらに縮小光学系および基板ステージを包含する。縮小光学系は基板への投影に関してパターンイメージを最小にする。基板ステージはパターンイメージを受け取るために縮小光学系に相対的に基板を位置決めする。
【００１５】
本発明の利点は、パターンイメージに対応する個々のピクセルに関して調節された個々の電圧レベルが同じ数のピクセル行だけ一方向においてシフトされるときに、パターンイメージの配置をシフトできることである。本発明の別の利点はパターンイメージの端部を個々のピクセルに対応する個々の電圧レベルを調節することによって操作できることであり、この個々のピクセルはパターンイメージ端部の一部であるか、パターンイメージ端部の個々のピクセルを超えるピクセル行である。
【００１６】
本発明の実施形態によれば、マスクレスパターンを生成する方法は光ビームの生成と、制御装置に供給されたパターン情報に基づく制御装置からの制御信号入力の受信と、制御信号入力に基づく光ビームからのパターンイメージの生成とを含む。制御信号入力はピクセルアレイにおける個々のピクセルに対応する個々の電圧レベルを調節するための命令であり、この際個々の電圧レベルはそれぞれ特定の個々のピクセルに割り当てられているグレースケールレベルに対応する。実施形態においては、パターンイメージの生成ステップは光ビームの偏光状態の変調を含む。
【００１７】
方法の１つの実施形態においては、光ビームの生成ステップは光ビームの発生およびパターン生成器へと向けられる光ビームの反射を含む。方法の別の実施形態では、光ビームの生成ステップは光ビームの発生および光ビームの偏光を含む。
【００１８】
本発明の別の実施形態、特徴および利点ならびに本発明の種々の実施形態の構造および動作を付属の図面を参照して以下詳細に説明する。上述の特徴および利点は本発明の全ての実施形態に必ずしも必要とされるものではない。
【００１９】
本願出願に含まれかつ一部を成す付属の図面は本発明を表すものであり、さらには明細書と共に本発明の原理を説明するために使用され、当業者は本発明を使用することができる。
【００２０】
本発明の特徴および利点は図面と関連させた以下の詳細な説明からより明らかになり、図面においては同一の参照符号が全体を通して対応する素子を識別する。図面においては、同一の参照番号は一般的に同一の素子、機能的に類似する素子および／または構造的に同様な素子を示す。その図面において初めて現れる素子は最左の文字によって相応の参照番号で表されている。
【実施例】
【００２１】
ここでは本発明を特定の用途のための例示的な実施形態に関連させて説明するが、本発明はこれに制限されるものではないと解するべきである。ここに示されている内容に触れる当業者であれば本発明の範囲内での付加的な修正、用途および実施形態また本発明が顕著に効用のある付加的な分野が分かる。
【００２２】
術語「光」、「光ビーム」および「照明」はこの明細書を通して互換性をもって使用されることを言及しておく。
【００２３】
慣例のマスクレス光学書き込みシステム１００が図１に示されている。照明源１０２は照明ビーム１０４を慣例のパターン生成器１０６へと配向する。パターン生成器１０６はＳＬＭのＤＭＤ形態、または例えば何らかの傾斜ミラーデバイスでよい。パターン命令は制御装置１１０から制御信号１０８を介してパターン生成器１０６に供給される。制御装置１１０はパターン情報源１１４からのデータストリーム１１２を介してパターン情報を受信する。
【００２４】
慣例のマスクレス光学書き込みシステム１００においては、パターン生成器１０６は制御信号１０８を介して受信した命令に応じてピクセル（例えばＤＭＤのマイクロミラー）をターンオンまたはターンオフする。照明ビーム１０４はパターン生成器１０６における「オン」のピクセルによって反射されると、生成光ビーム１１６が生じる。生成光ビーム１１６は縮小光学系１１８に向かって反射される。縮小光学系１１８は光ビーム１１６を最小にする複数のレンズからなり、これによってパターンイメージは最小にされる。最小にされたパターンイメージは光ビーム１２０として、基板ステージ１２２上に配置されている基板１２４（例えば半導体ウェハ、フラットパネルディスプレイまたは同様の製品）に投影される。基板ステージ１２２は例えばステップ・アンド・スキャンステージである。
【００２５】
ＤＭＤのような慣例のマスクレスパターン生成器は容易にグレースケールを生じさせることができない。ＤＭＤを使用してグレースケールを変化させるためには各マイクロミラーを正確な角度に傾斜する必要がある。しかしながら、マイクロミラーのカスタマイズされた傾斜によって不利な作用が生じる可能性がある。例えば、テレセントリック状態はイメージ平面がミラー傾斜の結果もはや光学系に対して垂直ではないはので変化する可能性がある。さらには、ＤＭＤを用いても個々のピクセルのための光の位相を制御することができない。したがってＤＭＤを位相シフトマスクとして使用することは容易ではない。
【００２６】
本発明の実施形態によるマスクレス光学書き込みシステム２００が図２に示されている。偏光照明源２０３は偏光ビーム２０４Ａを出力する。偏光照明源２０３は照明源２０２として示されており、この照明源２０２は照明ビーム２０４を偏光子２０５Ａに供給する。偏光子２０５Ａは照明ビーム２０４を偏光し、その結果偏光ビーム２０４Ａが生じる。当業者であれば別のタイプの偏光照明源を使用できることが分かる。偏光ビーム２０４Ａは慣例のものではないパターン生成器２０６に向かって配向される。
【００２７】
本発明の１つの実施形態においては、パターン生成器２０６は液晶ディスプレイ（ＬＣＤ）アレイを包含する。パターン情報源１１４はパターン情報を含むデータストリーム１１２を制御装置２１０に供給する。制御装置２１０は制御信号２０８を出力し、この制御信号２０８はパターン生成器２０６のためのパターン命令を包含する。制御装置２１０はハードウェア、ソフトウェアまたはハードウェハとソフトウェアの組合せから構成することができる。
【００２８】
制御装置２１０はパターン情報マニピュレータ２３０を包含する。パターン情報マニピュレータ２３０はデータストリーム１１２から受信したパターン情報を復号し、パターン情報データをピクセル毎に割り当てる。本発明の実施形態によれば、パターン情報マニピュレータ２３０は各ピクセルに対してグレースケール値を割り当てる。パターン情報マニピュレータ２３０の実施形態はハードウェア、ソフトウェアまたはハードウェアとソフトウェアの組合せから構成することができる。パターン情報マニピュレータ２３０を以下詳細に説明する。
【００２９】
マスクレス光学書き込みシステム２００においては、パターン生成器２０６のＬＣＤアレイは複数のＬＣＤチップからなる。ＬＣＤチップの各ピクセルには制御信号２０８によって供給される命令に対応する電圧が印加される。基板１２４上における結果としての露光の強度は、各ピクセルに印加される電圧および出力光ビームの結果としての偏光変調に間接的に依存する。光弁を生成するのが以下説明するこの偏光変調である。
【００３０】
ＬＣＤアレイの一般的な動作を説明する。本発明の１つの実施形態においては前述したように、パターン生成器２０６は複数のＬＣＤチップからなるＬＣＤアレイである。各ＬＣＤチップは図４Ａに示されているように動作する。使用される液晶（ＬＣ）のタイプおよびＬＣ材料が電界に存在するとどのような特性を有するかによってその偏光が決定され、またＬＣＤの分野においては周知のように、（透過性アレイの場合には）入射光が透過するか否かが決定される。例えばＬＣＤチップにおけるＬＣ材料はＬＣＤチップ４３２Ａに電圧が印加されない場合、入射する偏光ビーム４３４Ａの極性が９０°変化する（すなわち「回転する」）ような特性を有してもよい。したがって透過した偏光ビーム波４３６Ａは入射する偏光ビーム４３４Ａに関して９０°位相がずれている。このことはＬＣＤチップ４３２ＡのＬＣ材料の屈折性の特性に基づき生じる。択一的に、ＬＣＤチップ４３２Ａへの電圧の印加によっては偏光ビーム波４３４Ａを９０°回転させなくてもよく、これによって光ビーム波４３４Ａは単純に同一の極性でもって通過することができる。しかしながら中間の電圧においては、光の極性は部分的に回転されており、また楕円偏光されている。択一的にＬＣ材料は、電圧が印加されない場合には極性は変化せず、電圧が印加される場合には極性は９０°変化するような逆の特性を有してもよい。
【００３１】
本発明の１つの実施形態においては、ＬＣＤアレイの液晶材料はピクセルに電圧が印加されない場合にはピクセルからの結果としての光ビーム２１６の極性は９０°回転されるような特性を有する。この実施形態においては、特定の電圧（「極性を変化させない」電圧）がピクセルに印加される場合には、ピクセルからの結果としての光ビーム２１６の極性は変化しない。ピクセルに電圧が印加されずに光は全く形成されないということがこのピクセルにとっての所望の結果であるならば、電圧が印加されないピクセルからの結果としての光を阻止する必要は無い。この実施形態に関しては、偏光ビーム２０４Ａの極性と同一の極性を有する偏光子２０５Ｂが使用される。このコンフィギュレーションにおいては、電圧が印加されないＬＣＤアレイ２０６のピクセル上に入射する光ビーム２１６は偏光子２０５Ｂとは反対の極性になり阻止されて、基板１２４の対応する領域においては露光が生じない。
【００３２】
択一的に、「極性を変化させない」電圧が供給されるＬＣＤアレイ２０６のピクセル上に入射する光ビーム２１６は偏光子２０５Ｂと同一の極性になり、光ビーム２１６Ａとして透過する。光ビーム２１６Ａは縮小光学系１１８を通過して最小化された光ビーム２２０になり、最高の強度でもって基板１２４を露光する。ピクセルに印加される電圧がゼロ電圧と「極性を変化させない」電圧との間にある場合には、光の極性は部分的に回転されて楕円偏光され、光の一部は偏光子２０５Ｂを通過することができるので、したがって光ビーム２１６Ａにおいてはグレースケールレベルを生じさせることができる。
【００３３】
本発明の別の実施形態においてはＬＣＤの液晶材料は、特定の電圧（例えば「極性を９０°変化させる」電圧）がピクセルに印加されるとピクセルからの結果としての光ビーム２１６の極性は９０°変化するような特性を有する。この実施形態においては、電圧がピクセルに印加されない場合には、ピクセルからの結果として生じる光ビーム２１６の極性は変化しない。ピクセルに電圧が印加されずに光は全く形成されないということがこのピクセルにとって所望の結果であるならば、電圧が印加されないピクセルからの結果としての光を阻止する必要は無い。この実施形態に関しては、偏光ビーム２０４Ａの極性とは反対の極性の偏光子が使用される。このコンフィギュレーションにおいては、電圧が印加されないＬＣＤアレイ２０６のピクセル上に入射する光ビーム２１６は偏光子２０５Ｂとは反対の極性になり阻止されて、基板１２４の対応する領域においては露光が生じない。
【００３４】
択一的に、「極性を９０°変化させる」電圧が印加されているＬＣＤアレイ２０６のピクセル上に入射する光ビーム２１６は偏光子２０５Ｂと同じ極性になり、光ビーム２１６Ａとして透過する。光ビーム２１６Ａは縮小光学系１１８を通過して最小にされた光ビーム２２０になり、最高の強度でもって基板１２４を露光する。ピクセルに印加される電圧がゼロ電圧と「極性を９０°変化させる」電圧との間にある場合には、光の極性は部分的に回転されて楕円偏光され、光の一部は偏光子２０５Ｂを通過することができるので、したがって光ビーム２１６Ａにおいてはグレースケールレベルを生じさせることができる。
【００３５】
マスクレス光学書き込みシステム２００では、光ビーム２１６Ａは縮小光学系１１８によって最小にされる。縮小光学系１１８は複数のレンズからなる。当業者には明らかであるように、縮小光学系１１８はこのためにあらゆる適切な縮小光学系を包含することができる。最小にされた光ビーム２２０は基板ステージ１２２に保持されている基板１２４上に投影される。基板１２４における露光の強度は前述したように、パターン生成器２０６の対応する各ピクセルに印加される電圧量に間接的に依存する。
【００３６】
本発明の別の実施形態が図３に示されている。図３のマスクレス光学書き込みシステム３００においては、図２の偏光子２０５Ａ／Ｂの機能が単一の偏光ビームスプリッタ３２６によって実行される。この実施形態においてはパターン生成器３０６は反射性ＬＣＤ（ＲＬＣＤ）である。ＬＣＤアレイとＲＬＣＤアレイとの間の顕著な相違点は、基板をイメージングするための入射光ビームがＲＬＣＤでは反射されずにむしろ透過されることである。偏光変調はＬＣＤアレイにおいてもＲＬＣＤアレイにおいても同様に行われる。
【００３７】
ＲＬＣＤチップは図４Ｂに示されているように動作する。例えばＲＬＣＤチップにおけるＬＣ材料は、ＲＬＣＤチップ４３２Ｂに電圧が印加されない場合には、入射する偏光ビーム波４３４Ｂの極性は９０°変化する（すなわち「回転する」）ような特性を有してもよい。したがって、透過した偏光ビーム波４３６Ｂは入射する偏光ビーム波４３４Ｂに関して９０°位相がずれている。択一的に、ＲＬＣＤチップ４３２Ｂへの電圧の印加によっては偏光ビーム波４３４Ａの極性を９０°回転させなくてもよく、これによって光ビーム波４３４Ａを単純にＲＬＣＤから同一の極性でもって反射させることができる。しかしながら中間の電圧においては、光の極性は部分的に回転されて楕円偏光されている。択一的にＬＣ材料は、電圧が印加されない場合には極性は変化せず、電圧が印加される場合には極性は９０°変化するような逆の特性を有してもよい。
【００３８】
再び図３を参照すると、マスクレス光学書き込みシステム３００では光源３０２が光ビーム３０４を出力する。光ビーム３０４は偏光ビームススプリッタ３０４へと配向される。偏光ビームスプリッタ３２６は偏光ビーム３２８をパターン生成器３０６に向かって反射する。偏光ビームスプリッタ３２６は公知のようなあらゆる偏光ダイクロイックミラーでよい。当業者には公知のように、偏光ビーム３０５は偏光ビーム３２８とは反対の極性でもって偏光ビームスプリッタ３２６を通過し、このマスクレス光学書き込みシステムから離れる。
【００３９】
パターン生成器３０６のＲＬＣＤアレイは複数のＲＬＣＤチップからなる。各ＲＬＣＤチップの各ピクセルには制御信号２０８によって供給される命令に対応する電圧が印加される。パターン生成器３０６は結果としての光ビーム３１６を偏光ビームスプリッタ３２６へと再度反射する。マスクレス光学書き込みシステム２００を用いる場合のように、基板１２４上における結果としての露光の強度は、各ピクセルに印加される電圧および出力光ビームの結果としての偏光変調に間接的に依存する。
【００４０】
本発明の１つの実施形態においては、ＲＬＣＤの液晶材料はピクセルに電圧が印加されない場合には、ピクセルから反射された結果としての光ビーム３１６の極性は９０°回転されるような特性を有する。反射された光ビーム３１６はその後適切な極性で直接的に偏光ビームスプリッタ３２６を通過する。この実施形態においては、電圧（例えば「極性を変化させない」電圧）がピクセルに印加される場合には、ピクセルから反射された結果としての光ビーム３１６の極性は変化せずに偏光ビームスプリッタ３２６によってビーム３１７として再び反射され、このマスクレス光学書き込みシステムから離れる。ピクセルに印加される電圧がゼロ電圧と「極性を変化させない」電圧との間にある場合には、これらのピクセルから反射された結果としての光ビーム３１６の極性は部分的に回転されて楕円偏光され、光の一部は偏光ビームスプリッタを通過することができるので、したがって反射された光ビーム３１６においてはグレースケールレベルを生じさせることができる。
【００４１】
本発明の別の実施形態においてはＲＬＣＤアレイの液晶材料は、特定の電圧（例えば「極性を９０°変化させる」電圧）がピクセルに印加されるとピクセルから反射された結果としての光ビーム３１６の極性は９０°回転するような特性を有する。反射された光ビーム３１６は続いて適切な極性でもって偏光ビームスプリッタ３２６を通過する。この実施形態においては、電圧がピクセルに印加されない場合には、ピクセルから反射された結果としての光ビーム３１６の極性は変化せず、偏光ビームスプリッタ３２６によってビーム３１７として再び反射されてマスクレス光学書き込みシステムから離れる。ピクセルに印加される電圧がゼロ電圧と「極性を９０°変化させる」電圧の間になる場合には、これらのピクセルから反射された結果としてのビーム３１６の極性は部分的に回転されて楕円偏光され、光の一部は偏光ビームスプリッタ３２６を通過するので、したがって光ビーム３１６においてグレースケールレベルを生じさせることができる。
【００４２】
マスクレス光学書き込みシステム３００では、反射された結果としての光ビーム３１６は縮小光学系１１８によって最小にされる。縮小光学系１１８は複数のレンズからなる。当業者には公知であるように、縮小光学系１１８はこのためにあらゆる適切な縮小光学系を含むことができる。最小にされた光ビーム３２０は続いて基板ステージ１２２に保持されている基板１２４上に投影される。基板１２４における露光の強度は前述したように、パターン生成器３０６の対応する各ピクセルに印加される電圧量に間接的に依存する。
【００４３】
本発明の実施形態においては、パターン生成器２０６／３０６は１５７ｎｍ照明から２４８ｎｍ照明、有利には１９３ｎｍ照明と互換性がある。
【００４４】
「スリット」領域は基板上の投影の領域を規定する。スリット領域の大きさは倍率、チップサイズおよび配置されているチップの数に関連する。本発明の実施形態によれば複数のチップがアレイ内に並べられている。本発明の実施形態によれば、高分解能ウェハの用途に関しては有利には約８ｍｍ×２２ｍｍのスリット領域が使用され、このスリット領域はチップのアレイを必要とする。ウェハの用途に関しては、この領域は光学系のデザインに依存して４ｍｍ×１２ｍｍの小ささでも、１６ｍｍ×４８ｍｍの大きさでもよい。しかしながらこの領域は本発明が使用される用途に依存して、この範囲よりもさらに小さくすることも大きくすることもできる。例えば、フラットパネルの用途に使用されるパターン生成器に関するスリット領域は８ｃｍ×２２ｃｍの大きさ、またはそれよりも大きくてよい。プロジェクションテレビまたは映画スクリーン、例えば５０フィートまたはそれよりも大きいスクリーンに使用されるパターン生成器はそれどころかさらに大きいスリット領域をカバーすることができる。しかしながらこのような巨大な用途に関してはピクセルサイズは大きくなる。
【００４５】
本発明の実施形態においては、マスクレス光学書き込みシステム２００／３００は基板上に２０ｎｍから１．５ｍｍのピクセルサイズ、有利には約５０ｎｍの大きさのピクセルサイズを生成することができる。本発明によれば、縮小光学系１１８は．００５×から３５０×、有利には２００×の倍率によってパターンイメージを最小にすることができる。
【００４６】
本発明の実施形態においては、光源２０２／３０２はパルスエキシマレーザである。このレーザを使用することにより、個々のピクセルの個々の電圧レベルはレーザパルス間で変化される。本発明の実施形態においては、光源２０２／３０２は偏光された光を供給する。
【００４７】
前述したように、制御装置２１０はパターン情報マニピュレータ２３０を包含する。パターン情報マニピュレータ２３０はデータストリーム１１２から受信したパターン情報を復号し、パターン情報データをピクセル毎に割り当てる。本発明の実施形態によれば、パターン情報マニピュレータ２３０はグレースケール値を各ピクセルに対して割り当てる。パターン情報マニピュレータ２３０の実施形態はハードウェア、ソフトウェア、またはハードウェアとソフトウェアの組合せから構成することができる。
【００４８】
図５はパターン情報マニピュレータ２３０をより詳細に示したものである。パターン情報を含むデータストリーム１１２がパターン情報マニピュレータ２３０に入力されて、デコーダ５４０において復号される。ピクセルアドレスはアドレス生成器５４２において生成される。各ピクセルに対する命令は行列でピクセル「マトリクス」としてのメモリ５４４に記憶される。例えば、ピクセルはピクセルアドレス５４６によって示されているように、「最大」電圧を印加する命令に対応することができる。択一的に、ピクセルはピクセルアドレス５４８によって示されているように電圧を印加しない命令に対応することができる。択一的に、露光のグレースケールレベルをこれら２つの電圧レベルの中間にある電圧を割り当てることによってピクセルに割り当てることができる。例えば、７５％の露光がピクセルアドレス５５０に割り当てられている。当業者には公知であるように、グレースケール効果が印加される電圧と比較して線形であることを保証するために、制御装置２１０のパターン情報マニピュレータ２３０においていくらかの線形補正が必要とされる。
【００４９】
本発明の実施形態による、マスクレスパターンを生成する方法６００が図６に示されている。方法はステップ６８０において開始され、直ちにステップ６８２に続く。ステップ６８２においては、光ビームが生成される。ステップ６８４においては制御信号入力が制御装置に供給されるパターン情報に基づき制御装置から受信される。ステップ６８６においては、パターンイメージが制御信号入力に基づき光ビームから形成される。実施形態においては、パターンイメージはピクセルアレイにおける個々のピクセルに対応する個々の電圧レベル（すなわちグレースケールレベル）を調節することによって生成される。方法６００はステップ６８８で終了する。
【００５０】
本発明の１つの実施形態においては、方法６００のステップ６８２は図７Ａに示されているように実施される。ステップ６８２はステップ７９０において開始され、直ちにステップ７９２に続く。ステップ７９２においては光ビームが生じる。ステップ７９４においては光ビームがパターン生成器に向かって反射される。反射はあらゆるビームスプリッタによって達成することができる。実施形態においては、偏光ビームスプリッタが使用される。ステップ７９６においてはこの方法が方法６００のステップ６８４に戻る。
【００５１】
本発明の別の実施形態では、方法６００のステップ６８２が図７Ｂに示されているように実施される。ステップ６８２はステップ７９０において開始され、直ちにステップ７９２が続く。ステップ７９２においては光ビームが生じる。ステップ７９５においては光ビームが偏光される。光ビームの偏光は当業者には公知であるように、あらゆる偏光子を使用して達成することができる。ステップ７９６においてはこの方法が方法６００のステップ６８４に戻る。
【００５２】
本発明の実施形態による、マスクレスパターンを生成する方法８００が図８に示されている。方法はステップ８０２において開始され、直ちにステップ８０４が続く。ステップ８０４においては偏光照明が生成される。ステップ８０６においては、制御信号入力が制御装置に供給されたパターン情報に基づき制御装置から受信される。ステップ８０８においては偏光照明の偏光状態が変調される。ステップ８１０においては、パターンイメージが制御信号入力に基づき、変調された偏光照明から形成される。方法はステップ８１２において終了する。
【００５３】
本発明の１つの実施形態においては、方法８００のステップ８０８が図９に示されているように実施される。ステップ８０８はステップ９１４において開始され、直ちにステップ９１６が続く。ステップ９１６においては、グレースケールレベル（白および黒を含む）に対応する電圧レベルがピクセルアレイにおける個々のピクセルそれぞれに対して設定される。ステップ９１８においてはこの方法は方法８００のステップ８１０に戻る。
【００５４】
本発明の実施形態による、マスクレスリソグラフィを実施する方法１０００が図１０に示されている。方法はステップ１０２０において開始され、直ちにステップ１０２２が続く。ステップ１０２２においては光ビームが生成される。ステップ１０２４においては制御信号入力が制御装置に供給されるパターン情報に基づき制御装置から受信される。ステップ１０２６においては、パターンイメージが制御信号入力に基づき光ビームから生成される。実施形態においては、パターンイメージがピクセルアレイにおける個々のピクセルに対応する個々の電圧レベル（すなわちグレースケールレベル）を調節することによって生成される。ステップ１０２８においては、パターンイメージが基板への投影に関して縮小光学系によって最小にされる。ステップ１０３０においては基板が縮小光学系に相対的に配置される。ステップ１０３２においては、パターンイメージが基板において受け取られる。方法１０００はステップ１０３４において終了する。
【００５５】
本発明の１つの実施形態においては、方法１０００のステップ１０２２が図１１Ａに示されているように実施される。ステップ１０２２はステップ１１３６において開始され、直ちにステップ１１３８が続く。ステップ１１３８においては光ビームが生成される。ステップ１１４０においては光ビームがパターン生成器に向かって反射される。反射は当業者には公知であるようにあらゆるビームスプリッタによって達成することができる。実施形態においては偏光ビームスプリッタが使用される。ステップ１１４２においてはこの方法が方法１０００のステップ１０２４に戻る。
【００５６】
本発明の別の実施形態においては、方法１０００のステップ１０２２が図１１Ｂに示されているように実施される。ステップ１０２２はステップ１１３６において開始され、直ちにステップ１１３８が続く。ステップ１１３８においては光ビームが生成される。ステップ１１４１においては光ビームが偏光される。光ビームの偏光は当業者には公知のようにあらゆる偏光子を使用して達成することができる。ステップ１１４２においてはこの方法は方法１０００のステップ１０２４に戻る。
【００５７】
本発明の実施形態による、マスクレスリソグラフィを実施する方法１２００が図１２に示されている。方法はステップ１２５０において開始され、直ちにステップ１２５２が続く。ステップ１２５２においては偏光照明が生成される。ステップ１２５４においては、制御信号入力が制御装置に供給されたパターン情報に基づき制御装置から受信される。ステップ１２５６においては、偏光照明の偏光状態が変調される。ステップ１２５８においては、パターンイメージが制御信号入力に基づき、変調された偏光照明から形成される。ステップ１２６０においては、パターンイメージが基板への投影に関して縮小光学系によって最小にされる。ステップ１２６２においては、基板が縮小光学系に相対的に配置される。ステップ１２６８においてはパターンイメージが基板において受け取られる。方法１２００はステップ１２７０において終了する。
【００５８】
本発明の１つの実施形態においては、方法１２００のステップ１２５２が図１３に示されているように実行される。ステップ１２５２はステップ１３７２において開始され、直ちにステップ１３７４が続く。ステップ１３７４においては偏光照明が生成される。ステップ１３７６においては偏光照明がパターン生成器に向かって反射される。反射はあらゆるビームスプリッタを使用して達成することができる。実施形態においては偏光ビームスプリッタが使用される。ステップ１３７８においてはこの方法は方法１２００のステップ１２５４に戻る。
【００５９】
本発明の１つの実施形態においては、方法１２００のステップ１２５６が図１４に示されているように実行される。ステップ１２５６がステップ１４８０において開始され、直ちにステップ１４８２が続く。ステップ１４８２においては、グレースケールレベル（白および黒を含む）に対応する電圧レベルがピクセルアレイにおける個々のピクセルそれぞれに対して調節される。ステップ１４８４においては、この方法は方法１２００のステップ１２５８に戻る。
【００６０】
本発明の実施形態による、マスクレスリソグラフィを実施する方法１５００が図１５に示されている。方法はステップ１５０２において開始され、直ちにステップ１５０４が続く。ステップ１５０４においては光ビームが生成される。ステップ１５０６においては光ビームが偏光される。ステップ１５０８においては制御信号入力が制御装置に供給されたパターン情報に基づき制御信号から受信される。ステップ１５１０においては、偏光ビームの偏光状態が変調される。ステップ１５１２においてはパターンイメージが制御信号入力に基づき、変調された偏光ビームから生成される。実施形態においては、パターンイメージがピクセルアレイにおける個々のピクセルに対応する個々の電圧レベル（すなわちグレースケールレベル）を調節することによって生成される。ステップ１５１４においてはパターンイメージが偏光される。ステップ１５１６においてはパターンイメージが基板への投影に関して縮小光学系によって最小にされる。ステップ１５１８においては基板が縮小光学系に相対的に配置される。ステップ１５２０においてはパターンイメージが基板において受け取られる。方法１５００はステップ１５２２において終了する。
【００６１】
本発明の実施形態による、マスクレスリソグラフィを実施する方法１６００が図１６に示されている。方法はステップ１６０２において開始され、直ちにステップ１６０４が続く。ステップ１６０４においては光ビームが生成される。ステップ１６０６においては光ビームが偏光される。ステップ１６０８においては偏光ビームがパターン生成器に向かって反射される。ステップ１６１０においては、制御信号入力が制御装置に供給されたパターン情報に基づき制御装置から受信される。ステップ１６１２においては偏光ビームの偏光状態が変調される。ステップ１６１４においては、パターンイメージが制御信号入力に基づき変調された偏光ビームから生成される。実施形態においては、パターンイメージはピクセルアレイにおける個々のピクセルに対応する個々の電圧レベル（すなわちグレースケールレベル）を調節することによって生成される。ステップ１６１６においてはパターンイメージが縮小光学系に向かって反射される。ステップ１６１８においてはパターンイメージが偏光される。ステップ１６２０においてはパターンイメージが基板への投影に関して縮小光学系によって最小にされる。ステップ１６２２では基板が縮小光学系に相対的に配置される。ステップ１６２４においてはパターンイメージが基板において受け取られる。方法１６００はステップ１６２６において終了する。
【００６２】
本発明の利点の１つは本発明を位相シフトマスクとして使用できることである。光の１周期以上にわたり電圧を印加することによって、当業者には公知であるように位相シフトマスクに類似する有効な特性を付与する位相シフトが生じる。本発明を位相シフトマスクとして使用するために、極性が９０°回転される場所を通る電圧を変更する。このピクセル毎の位相干渉はシステムの解像度を改善する位相シフトマスクと同様の効果を有する。
【００６３】
本発明の別の利点は、パターンを配置する必要がある所に正確に依存して各ピクセルに印加される電圧レベルをずらすことによってパターンイメージを容易に移動させることができる。パターンイメージの配置は、対応するピクセルに関して設定された個々の電圧レベルが同じ数のピクセルの行または列だけ１つの方向でシフトされるとシフトされる。
【００６４】
本発明のさらなる利点は、説明したようなグレースケールを生じさせることによって所定の格子に相対的に容易にパターンを移動できることである。基板上では各ピクセルからの光が他のピクセルからの光へと併合される。パターンの端部においては、ピクセルの端部の行からの光は「溢れだし」、段階的な効果で光から闇に徐々に変化する。どれ程の速さで光から闇への遷移が生じるかは、遷移領域におけるピクセルを部分的にターンオンすることによって制御することができる。このようにしてピクセルの光レベルはパターンの端部を「移動」させるための適切な電圧レベルを印加することによってマニピュレートされる。本発明の特徴は、遷移（光から闇への段階的な変化）を基本的な格子境界には対応しない境界において生じさせるために使用することができる。例えば、ピクセルが４０ｎｍ格子にあり、パターンの端部を５ｎｍ格子に配置することが望ましい場合には、結果は基本格子境界のうちの１つが生じる個所においては発生しない遷移となる。基本格子境界からパターン端部を除去するために、境界の両側におけるピクセルの光レベルをこれらのピクセルに適切な電圧レベルを印加することによってマニピュレートすることができる。
【００６５】
図１７のグラフは本発明に関連させて説明したようなグレースケールを使用して露光された端部のシフトを示す。グラフ１７６０には露光端部にわたる光強度の変化がプロットされている。ピクセルに印加される特定の電圧においてはピクセルは完全に「オフ」と見なされ、これは図においては１７６５によってプロットされている。ピクセルに印加される異なる電圧においてはピクセルは完全に「オン」と見なされ、これは図においては１７７０によってプロットされている。強度の等しい特別なレベル（破線１７７５によって示されている）においては、完全に「オフ」（プロット１７６５）対完全に「オン」（プロット１７７０）であるときのパターン端部間の距離は４０ｎｍであり、この距離はこの例においてはピクセルの幅である。ピクセルに印加される電圧レベルを「オン」と「オフ」に関する２つの電圧レベルの間で変化させることによってパターン端部を中間の位置に配置させることができ、これはプロット１７６５とプロット１７７０の中間のデータプロットによって示されている。
【００６６】
図１８および図１９も本発明の実施形態に関連させて説明したグレースケールを使用する露光された端部のシフトを示す。図１８においてはピクセル格子１８８０のピクセル行１８８２が完全に「オフ」として示されている。ピクセル行１８８４は完全に「オン」として示されている。プロット１８８８（ピクセル格子１８８０の上方に示されている）は光と闇の間の急な遷移を示す。図１９は露光されたパターン端部の移動を示す。ピクセル格子１９８０のピクセル行１９８２は完全に「オフ」として示されている。ピクセル行１９８４は完全に「オン」として示されている。ピクセル行１９８６は「オン」の中間状態で示されており、ここでは２５％「オン」である。ピクセル行１９８６をオンの中間状態に調節することは実質的に、パターンの端部を僅かに左方向に移動させる。プロット１９８８（ピクセルグリッド１９８０の上方に示されている）は図１８よりもより段階的に遷移している光と闇の遷移を示す。
【００６７】
本明細書は、直接的にパターンを書き込むことを目的として、ピクセル毎にパターンイメージを制御するための光弁として動作するマスクレスパターン書き込みシステムを表す。本発明の種々の実施形態を上記において説明したが、これらの実施形態は単に例示的に示したに過ぎず、これに制限されるものではない。当業者であれば形状および詳細における種々の変更を請求項に規定されている本発明の思想および範囲から逸脱することなくなすことができる。したがって本発明の範囲を上述した例示的な全ての実施形態に制限すべきではなく、本発明は請求項および同等のものによってのみ定義されるべきである。
【図面の簡単な説明】
【００６８】
【図１】目下当業者に公知であるマスクレス光学書き込みシステムの例示的な概略図である。
【図２】本発明の実施形態によるマスクレス光学書き込みシステムの例示的な概略図である。
【図３】本発明の実施形態による偏光照明を使用するマスクレス光学書き込みシステムの例示的な概略図である。
【図４Ａ】本発明の実施形態による液晶ディスプレイの動作を示す。
【図４Ｂ】本発明の実施形態による反射性液晶ディスプレイの動作を示す。
【図５】本発明の実施形態によるパターン生成器制御装置データマニピュレータの例示的な概略図である。
【図６】本発明の実施形態によるマスクレスパターンを生成する方法のフローチャートを示す。
【図７Ａ】本発明の実施形態による図６に示された方法のステップ６８２のフローチャートを示す。
【図７Ｂ】本発明の実施形態による図６に示された方法のステップ６８２のフローチャートを示す。
【図８】本発明の実施形態によるマスクレスパターンを生成する方法のフローチャートを示す。
【図９】本発明の実施形態による図８に示された方法のステップ８０８のフローチャートを示す。
【図１０】本発明の実施形態によるマスクレスリソグラフィを実施するための方法のフローチャートを示す。
【図１１Ａ】本発明の実施形態による図１０に示された方法のステップ１０２２のフローチャートを示す。
【図１１Ｂ】本発明の実施形態による図１０に示された方法のステップ１０２２のフローチャートを示す。
【図１２】本発明の実施形態によるマスクレスリソグラフィを実施するための方法のフローチャートを示す。
【図１３】本発明の実施形態による図１２に示した方法のステップ１２５６のフローチャートを示す。
【図１４】本発明の実施形態による図１２に示した方法のステップ１２５６のフローチャートを示す。
【図１５】本発明の実施形態によるマスクレスリソグラフィを実施するための方法のフローチャートを示す。
【図１６】本発明の実施形態によるマスクレスリソグラフィを実施するための方法のフローチャートを示す。
【図１７】本発明の実施形態によるグレースケールを使用する露光される端部のシフトを示す。
【図１８】本発明の実施形態によるグレースケールを使用する露光される端部のシフト図を示す。
【図１９】本発明の実施形態による、グレースケールを使用する露光される端部のシフト図を示す。
【図１】
2005210115.tif 000003
【図２】
2005210115.tif 000004
【図３】
2005210115.tif 000005
【図４Ａ】
2005210115.tif 000006
【図４Ｂ】
2005210115.tif 000007
【図５】
2005210115.tif 000008
【図６】
2005210115.tif 000009
【図７Ａ】
2005210115.tif 000010
【図７Ｂ】
2005210115.tif 000011
【図８】
2005210115.tif 000012
【図９】
2005210115.tif 000013
【図１０】
2005210115.tif 000014
【図１１Ａ】
2005210115.tif 000015
【図１１Ｂ】
2005210115.tif 000016
【図１２】
2005210115.tif 000017
【図１３】
2005210115.tif 000018
【図１４】
2005210115.tif 000019
【図１５】
2005210115.tif 000020
【図１６】
2005210115.tif 000021
【図１７】
2005210115.tif 000022
【図１８】
2005210115.tif 000023
【図１９】
2005210115.tif 000024
【手続補正書】
【提出日】平成17年1月18日(2005.1.18)
【手続補正１】
【補正対象書類名】図面
【補正対象項目名】図４Ａ
【補正方法】変更
【補正の内容】
【図４Ａ】
2005210115.tif 000025
【手続補正２】
【補正対象書類名】図面
【補正対象項目名】図４Ｂ
【補正方法】変更
【補正の内容】
【図４Ｂ】
2005210115.tif 000026
【手続補正３】
【補正対象書類名】図面
【補正対象項目名】図１７
【補正方法】変更
【補正の内容】
【図１７】
2005210115.tif 000027
【手続補正４】
【補正対象書類名】図面
【補正対象項目名】図１８
【補正方法】変更
【補正の内容】
【図１８】
2005210115.tif 000028
【手続補正５】
【補正対象書類名】図面
【補正対象項目名】図１９
【補正方法】変更
【補正の内容】
【図１９】
2005210115.tif 000029